(57)【要約】【課題】スペクトル強制分極法等で得られた複数のスペクトル画像について、スペクトルの違いやデータ種別の違いを直接イメージすることができるようにするため、データにＲＧＢの色情報を付与し、ＲＧＢカラーを合成することで、データのカラーイメージを生成して表示する方法を実現する。【解決手段】スペクトル強制分極法等で得られた複数のスペクトル画像、スペクトル強制分極法等で得られた複数のスペクトル検層情報、又は比抵抗断面図や弾性波速度の断面図等における、異なる情報にＲＧＢ等の色情報を当てはめて、スペクトル画像、スペクトル検層情報、地質断面図のカラーイメージの表示方法に適用する。【選択図】なし【特許請求の範囲】
【請求項１】
スペクトル強制分極法で得られた地質断面についての複数のスペクトル画像に、ＲＧＢの色情報を当てはめ、地質断面図をフルカラーで表示することを特徴とする表示方法。
【請求項２】
スペクトル強制分極法で得られた地質断面についての複数のスペクトル検層情報に、ＲＧＢの色情報を当てはめ、地質柱状図をフルカラーで表示することを特徴とする表示方法。
【請求項３】
異なる情報を有する比抵抗断面図又は弾性波速度の断面図に、ＲＧＢの色情報をあてはめ、地質断面図をフルカラーで表示することを特徴とする表示方法。
【発明の詳細な説明】
【技術分野】
【０００１】
本発明は、地質断面図や地質柱状図をフルカラーで表示する方法に関する。
【背景技術】
【０００２】
電気探査は、地盤に電流を流した際の「比抵抗（電気の流れにくさ）」や電気化学的な「分極現象」を測定し、地盤物性を把握する物理探査法である。
【０００３】
従来、地質等の物理探査に比抵抗法が利用されていることは知られている（特許文献１参照）。比抵抗法は、地盤に直流電流（あるいは交替電流）を流し、電流の流れにくさの分布状況から地盤性状を把握する電気探査法である。
【０００４】
即ち、地下水の分布している地盤や、風化岩と基盤岩あるいは堆積層と基盤岩の境界、さらに良好な岩盤と断層破砕帯では、電流の流れ方に大きな違いがあり、地盤に電流を流して電流の流れ方の違いを測定すれば、地下水の有無、地すべり面の形状、さらにトンネルやダム等の施工面における地山状況を事前に推定することができる。
【０００５】
強制分極法（ＩＰ法：induced polarization 法）は、大地に電流を流したときに様々な電気化学的な分極現象が生じ、電圧の観測波形に過度現象が認められるが、この現象を応用した地質の探査方法である。特に、ＳＩＰ（スペクトル強制分極法）は、多周波のスペクトル情報を用い探査の結果を表示する場合、その周波数毎に複数の画像を並列に並べて表示を行う方法である。
【０００６】
そして、従来、このような比抵抗法などで得られる地質断面図の表示方法として、図１に示すように、赤−黄色−緑−青といったスペクトル色を振幅や位相などの情報量に割り当てて表示を行う方法は知られている。
【０００７】
上記比抵抗法やＳＩＰ（強制分極法）で得られた検層データを、図２に示すように、折れ線で表現する地質断面図の表示方法が従来知られている。
【特許文献１】特開２００１−３３７１７５号公報
【発明の開示】
【発明が解決しようとする課題】
【０００８】
しかしながら、上記図１に示す従来の表示方法では、微少なスペクトルの変化の場合、その差を直接イメージとしてとらえることが困難である。また、図２に示す検層データの表示方法も、折れ線で表現するので、そのスペクトルの違いを直接イメージすることは困難である。
【０００９】
本発明は、上記従来の問題を解決することを目的とするものであり、スペクトルの違いやデータ種別の違いを直接イメージすることができるようにする地質断面図をフルカラーで表示する方法を実現することである。
【課題を解決するための手段】
【００１０】
本発明は上記課題を解決するために、スペクトル強制分極法で得られた地質断面についての複数のスペクトル画像に、ＲＧＢの色情報を当てはめ、地質断面図をフルカラーで表示することを特徴とする表示方法を提供する。
【００１１】
本発明は上記課題を解決するために、スペクトル強制分極法で得られた地質断面についての複数のスペクトル検層情報に、ＲＧＢの色情報を当てはめ、地質柱状図をフルカラーで表示することを特徴とする表示方法を提供する。
【００１２】
本発明は上記課題を解決するために、異なる情報を有する比抵抗断面図又は弾性波速度の断面図に、ＲＧＢの色情報をあてはめ、地質断面図をフルカラーで表示することを特徴とする表示方法を提供する。
【発明の効果】
【００１３】
以上のような構成から成る本発明に係る地質断面図をフルカラーで表示する方法によれば、次のような効果が生じる。
（１）従来、適用が困難であった検層分野、貫入試験、トモグラフイー探査の分野に、フルカラーの地質断面図及び地質柱状図を提供することが可能となる。
（２）従来のモノクロ（赤−青階調）の情報に比較し、視覚的に地質を把握することができる。
（３）比抵抗だけでは困難であった、スペクトル形状による地質同定や地盤汚染等の汚染物質の混入に関する情報把握も可能となる。
【発明を実施するための最良の形態】
【００１４】
本発明に係る地質断面図をフルカラーで表示する方法の実施の形態を実施例に基づいて図面を参照して、以下に説明する。
【００１５】
本発明は、スペクトル強制分極法等で得られた複数のスペクトル画像について、スペクトルの違いやデータ種別の違いを直接イメージすることができるようにするため、データにＲＧＢの色情報を付与し、ＲＧＢカラーを合成することで、データのカラーイメージを生成して表示する方法である。
【００１６】
特に、本発明では、この表示方法を、スペクトル強制分極法等で得られた複数のスペクトル画像、スペクトル強制分極法等で得られた複数のスペクトル検層情報、又は比抵抗断面図や弾性波速度の断面図等における、異なる情報にＲＧＢ等の色情報を当てはめて、スペクトル画像、スペクトル検層情報、地質断面図のカラーイメージの表示方法に適用したことを特徴とするものである。
【００１７】
例えば、図２に示すように、複数の地層の位相データ（２０Ｈｚ、２００Ｈｚ、１ｋＨｚ）に対して、それぞれのデータの最小値、あるいは最大値（もしくは全ての周波数のデータに対する最小値、最大値）を用いて正規化した２５６階調のデータにＲ（赤）の情報を割り当てる。
【００１８】
次に２００Ｈｚ、１ｋＨｚとＧ（緑）、Ｂ（青）の色情報を与えて色情報を合成しカラー化する。こうして合成したカラーを並べて、図３に示すようなカラー柱状図を作成する。このカラー柱状図を用いることで、図３に示すような位相情報の連続的な変化を直接視覚的にイメージすることが可能となる。
【００１９】
断面図の場合には、図４に示すようにＲＧＢそれぞれの色情報を持つ画像を作成し、それを合成してフルカラーの断面図を生成する。
【００２０】
以上、本発明に係る地質断面図をフルカラーで表示する方法最良の形態を実施例に基づいて説明したが、本発明はこのような実施例に限定されることなく、特許請求の範囲記載の技術的事項の範囲内で、いろいろな実施例があることは言うまでもない。
【産業上の利用可能性】
【００２１】
本発明地質断面図をフルカラーで表示する方は、以上のような構成であるから、従来適用が困難であった検層分野、貫入試験、トモグラフイー探査等に適用すれば、このような分野において、フルカラーの地質断面図及び地質柱状図を提供でき、従来のモノクロ（赤一青階調）の情報に比較し視覚的に地質を把握することができるとともに、比抵抗だけでは困難であった、スペクトル形状による地質同定や地盤汚染等の汚染物質の混入に関する情報把握も可能となる。
【図面の簡単な説明】
【００２２】
【図１】従来技術を説明する図である。
【図２】別の従来技術を説明する図である。
【図３】本発明を説明する図である。
【図４】本発明を説明する図である。
【図１】
2007108495.tif 000002
【図２】
2007108495.tif 000003
【図３】
2007108495.tif 000004
【図４】
2007108495.tif 000005